(57)【要約】      （修正有）【課題】電気炊飯器の外観に凹凸が少なく、しかも蓋体開蓋時にも安定した状態を維持でき、炊飯器本体内への水の侵入時においても安全な製品を提供する。【解決手段】水と米とを収納可能な内鍋３を着脱自在に収納する炊飯器本体１と、炊飯器本体１の上部開口を開閉可能に覆蓋すべく該上部開口の一側にヒンジユニット１１を介して取り付けられた蓋体２と、内鍋３を加熱する加熱手段（ワークコイルＣ１，Ｃ２）とを備えた電気炊飯器において、炊飯器本体１の底部に、加熱手段への電源供給用の電源コードを引き出しあるいは巻き取るコードリール１５を水平に配置するとともに、コードリール１５の中心位置が、炊飯器本体１の中心位置よりもヒンジユニット１１の反対側に位置するように構成して、製品の外観が凹凸の少ないものとするとともに、製品の重心が反ヒンジユニット側となるようにし、デザイン性の向上と製品梱包時の梱包寸法の小型化とを図る。【選択図】図１
2013233361.tif 000002
【特許請求の範囲】
【請求項１】
水と米とを収納可能な内鍋を着脱自在に収納する炊飯器本体と、該炊飯器本体の上部開口を開閉可能に覆蓋すべく該上部開口の一側にヒンジユニットを介して取り付けられた蓋体と、上記内鍋を加熱する加熱手段とを備えた電気炊飯器であって、上記炊飯器本体の底部に、上記加熱手段への電源供給用のコードリールを略水平に配置するとともに、該コードリールの重心位置が、上記炊飯器本体の重心位置よりも上記ヒンジユニットと反対側に位置するように構成したことを特徴とする電気炊飯器。
【請求項２】
上記コードリールを、電源コードを巻き取る金属製のリール部と、該リール部の一面を覆う合成樹脂製のカバー部とによって構成し、上記金属製のリール部を下側に向けて配置したことを特徴とする請求項１記載の電気炊飯器。
【請求項３】
上記炊飯器本体の底部に、上記コードリールの外周部において立ち上げられた防水リブを形成するとともに、上記コードリールの上面を覆い、かつ上記防水リブの外側に被嵌される防水カバーを設けたことを特徴とする請求項１および２のいずれか一項記載の電気炊飯器。
【発明の詳細な説明】
【技術分野】
【０００１】
本願発明は、電気炊飯器に関し、さらに詳しくは電気炊飯器におけるコードリール取付構造に関するものである。
【背景技術】
【０００２】
コードリールを有する電気炊飯器においては、コードリールは、炊飯器本体における蓋体開閉用のヒンジ軸の下部後方側あるいはヒンジ軸の近傍に位置して上下縦方向に配置されていた（例えば、特許文献１を参照) 。
【先行技術文献】
【特許文献】
【０００３】
【特許文献１】特開２０１２−１９８６８号公報
【発明の概要】
【発明が解決しようとする課題】
【０００４】
ところで、上記特許文献１に開示されている電気炊飯器の場合、炊飯器本体におけるヒンジ軸の下部後方側あるいは近傍にコードリールを配置するために、炊飯器本体の後部に余計な凸部が形成されることになって、電気炊飯器の外観を損なってしまうという問題があった。また、前後方向の寸法も大きくなってしまう。一方、その反面、前記凸部の形成によって後方側の支持が高くなり、蓋体を開蓋した際の電気炊飯器の転倒を防止する役割を果たすが、それ以上にデザイン上の自由度を阻害する。
【０００５】
本願発明は、このような課題を解決するためになされたものであり、電気炊飯器本体の外観に凹凸が少なく、蓋体開蓋時にも安定した状態を維持でき、かつ炊飯器本体内への水の侵入時においても安全なコードリールの取付構造を提供することを目的とするものである。
【課題を解決するための手段】
【０００６】
本願発明は、上記の目的を達成するために、次のような課題解決手段を備えて構成されている。
【０００７】
（１）  請求項１の発明
この発明の電気炊飯器は、水と米とを収納可能な内鍋を着脱自在に収納する炊飯器本体と、該炊飯器本体の上部開口を開閉可能に覆蓋すべく該上部開口の一側にヒンジユニットを介して取り付けられた蓋体と、上記内鍋を加熱する加熱手段とを備えた電気炊飯器であって、上記炊飯器本体の底部に、上記加熱手段への電源供給用のコードリールを略水平に配置するとともに、該コードリールの重心位置が、上記炊飯器本体の重心位置よりも上記ヒンジユニットと反対側に位置するように構成したことを特徴としている。
【０００８】
従来のようにコードリールを炊飯器本体のヒンジユニット側で上下縦方向に配置すると、炊飯器本体におけるヒンジユニット側に余計な凸部が形成されて、炊飯器本体の外観が損なわれるが、以上のように、コードリールが炊飯器本体の底部に水平姿勢で配置されるようにすると、炊飯器本体の外観が凹凸の少ないものとなり、デザイン性が向上するし、外形寸法が縮小され、製品を梱包する際にも、梱包寸法を小さくすることができる。
【０００９】
しかも、コードリールの重心位置が、炊飯器本体の重心位置よりもヒンジユニットとは反対側の位置に離間するように構成したことにより、製品全体の重心が反ヒンジユニット側となり、蓋体を開蓋した際にも炊飯器本体の重心位置がヒンジユニット側に大きく偏ることがなくなって、蓋体開蓋時にも転倒することを防止することができる。
【００１０】
（２）  請求項２の発明
この発明の電気炊飯器は、請求項１の発明にかかる電気炊飯器において、上記コードリールを、電源コードを巻き取る金属製のリール部と、該リール部の一面を覆う合成樹脂製のカバー部とによって構成し、上記金属製のリール部を下側に向けて配置したことを特徴としている。
【００１１】
このようにすると、コードリールにおけるリール部と加熱源である加熱手段との距離を大きくとることができるところから、熱の影響を最小限に抑えることができることになり、リール部に巻き取られた電源コードの温度上昇が抑えられ、より安全な製品を提供することができる。
【００１２】
（３）  請求項３の発明
この発明の電気炊飯器は、請求項１又は２の発明にかかる電気炊飯器において、上記炊飯器本体の底部に、上記コードリールの外周部において立ち上げられた防水リブを形成するとともに、上記コードリールの上面を覆い、かつ上記防水リブの外側に被嵌される防水カバーを設けたことを特徴としている。
【００１３】
このようにすると、コードリールの外周部および上面が防水リブおよび防水カバーで覆われることとなり、コードリールへの水の侵入を効果的に防止することができ、電気炊飯器の本体内部への水の侵入があったような場合にも安全となる。
【発明の効果】
【００１４】
以上の結果、本願発明によると、従来のようにコードリールを炊飯器本体のヒンジユニット側で縦方向に配置した場合のような、炊飯器本体におけるヒンジユニット側に余計な凸部が形成されて、炊飯器本体の外観が損なわれ、外形寸法が大きくなる等の問題が解消される。
【００１５】
すなわち、コードリールを炊飯器本体の底部に水平姿勢で配置したことにより、外観が凹凸の少ないものとなり、デザイン性が向上するし、製品を梱包する際にも、梱包寸法を小さくすることができる。
【００１６】
しかも、コードリールの中心位置が、炊飯器本体の中心位置よりもヒンジユニットの反対側に位置することから、炊飯器全体の重心が反ヒンジユニット側に移り、蓋体開蓋時に製品が転倒することをも防止することができる。
【図面の簡単な説明】
【００１７】
【図１】本願発明の実施の形態にかかる電気炊飯器の縦断面図である。
【図２】図１に示す電気炊飯器における底部材を示す断面図である。
【図３】本願発明の実施の形態にかかる電気炊飯器における底部材の構成を示す分解斜視図である。
【図４】本願発明の実施の形態にかかる電気炊飯器における底部材を示す斜視図である。
【図５】本願発明の実施の形態にかかる電気炊飯器における底部材を示す平面図である。
【図６】本願発明の実施の形態にかかる電気炊飯器の使用例を示す平面図である。
【図７】従来の電気炊飯器の使用例を示す平面図である。
【発明を実施するための形態】
【００１８】
以下、添付の図面を参照して、本願発明の実施の形態について説明する。
【００１９】
図１ないし図６には、本願発明の実施の形態にかかる電気炊飯器構成の一例が示されている。
【００２０】
＜炊飯器本体および要部の構成＞
本願発明の実施の形態にかかる電気炊飯器における炊飯器本体１は、例えば一例として図１に示すような米および水を収容する非金属材料からなる内鍋３（例えば、土鍋、セラミック鍋、炭鍋等の採用が可能）と、該内鍋３を任意にセットし得るように形成された下部側合成樹脂製の皿状の底壁部４ａおよび上部側筒状の側壁部４ｂよりなる内ケース（保護枠）４と、該内ケース４を保持する外部筺体である有底筒状の外ケース５とによって構成されており、この炊飯器本体１の上部側開口縁部１ａの一側（後部）には、該上部側開口縁部１ａ部分を開閉可能に覆蓋する蓋体２がヒンジユニット１１を介して取り付けられている。
【００２１】
そして、上記内鍋３の底壁部３ａの外周面および該底壁部３ａから側壁部３ｂ面に至る間の湾曲面における外周面には、内部に誘起されるうず電流によって自己発熱が可能な、例えば銀ペースト等の金属製の第１，第２の誘導発熱体Ｇ１，Ｇ２が個別に貼設されている。
【００２２】
上記内ケース４の底壁部（底部）４ａの下方側にはコイル台９が設けられ、その下部にはフェライトコア７が配置され、また、上記内ケース４の底壁部４ａ下部側の上記コイル台９との間には、上記内鍋３の底壁部３ａの下面側と側部湾曲面側の各誘導発熱体Ｇ１，Ｇ２位置に対応して各々リッツ線が同心状に巻成された第１，第２の２組のワークコイルＣ１，Ｃ２が設けられており、それにより通電時には内鍋３の上記第１，第２の誘導発熱体Ｇ１，Ｇ２にうず電流を誘起して、内鍋３を間接的に加熱するようになっている。該第１，第２のワークコイルＣ１，Ｃ２は、例えば相互に直列に接続されている。
【００２３】
上記内ケース４の底壁部４ａには、その中央部にセンタセンサー設置用のセンサー部嵌合口が形成されている。また、同内ケース４の底壁部４ａの外周縁部上端側には、所定幅半径方向外方に張り出したフランジ状の段部４ｃが設けられ、この段部４ｃ部分に、環状部材、遮熱プレート縁部を介して上記内ケース４の上部側筒状の側壁部４ｂの下端側が係合載置されている。
【００２４】
他方、上部側筒状の側壁部４ｂの上端部分は、内枠部材を介して炊飯器本体側上端の肩部材８に連結して固定されている。
【００２５】
そして、上記第１，第２のワークコイルＣ１，Ｃ２の一端は、図示しない整流回路および平滑回路を介した電源ラインに、また他端は、図示しないＩＧＢＴ（パワートランジスタ）のコレクタにそれぞれ接続されている。
【００２６】
また、上記内ケース４の上部側筒状の側壁部４ｂの内周側には、金属製の筒状体が設けられており、この筒状体の外周に炊飯および保温時において加熱手段として機能する例えばコードヒータ等よりなるヒータＨ１が設けられており、炊飯時および保温時において上記内鍋３の側部全体を有効かつ均一に加熱するようになっている。
【００２７】
また、上記外ケース５は、例えば合成樹脂材で形成された上下方向に筒状のカバー部材により形成されており、該カバー部材（即ち、外ケース５）の上端部は、上記合成樹脂製の環状の肩部材８が上述のようにして結合され、上述した炊飯器本体１の開口縁部１ａの外周縁を形成している。また、上記カバー部材（即ち、外ケース５）の下端部には、合成樹脂製の底ケース１０が結合され、上記内ケース４の底壁部４ａとの間に所定の広さの断熱および通風空間部を形成している。
【００２８】
そして、上記内ケース４下方側の上記コイル台９の中央部には、上下方向に同心状に貫通したセンターセンサー嵌合口（センターセンサー収納空間部）が形成されており、該センターセンサー収納空間部中に上下方向に昇降自在な状態で、かつ常時コイルスプリングにより上方に上昇付勢された状態でサーミスタからなる内鍋温度検知センサおよび内鍋検知スイッチを備えたセンターセンサーが設けられている。
【００２９】
上記内ケース４、外ケース５、肩部材８、底ケース１０の各々は、高圧状態での炊飯がなされる圧力型の電気炊飯器の特性を考慮して、十分な補強構造が採用されている。
【００３０】
一方、上記蓋体２は、その上部外周面を構成する合成樹脂製の上板２１と、該上板２１の内側（下側）に設けられた同じく合成樹脂製の下板２２と、該下板２２の本体部の内側（下側）にゴム製の第１のパッキン２５を介して重合固定される蓋ヒータ（図示省略）を有する金属製の放熱板２３と、該放熱板２３の下方に設けられ、その外周縁部分に合成樹脂製の着脱可能な枠部材２７を介してゴム製の第２のパッキン２６が取り付けられている金属製の内カバー２４とから形成されている。そして、耐圧力強度を高めるために、中心となる上記下板２２本体部分の後端部外周をヒンジユニット１１側に係止しているとともに、同下板２２の本体部上面には、所定の板厚、所定の構造の金属製の補強板および多数の補強リブを左右および前後に亘って設けることにより、当該蓋体２の全体を高強度の構造体に形成するようにしている。
【００３１】
すなわち、上記下板２２は、その本体部後端側外周２２ａの中間部分が上方に向けてコ字状に曲成され、内側に前述したヒンジユニット１１を収納しているとともに、その外周端側下降部２２ｂはヒンジユニット１１の後方をカバーしている。
【００３２】
また、同下板２２の後端側外周２２ａには、上記コ字状部の下方に位置してクランク状に延びる上記ヒンジユニット１１との連結部２２ｃが設けられている。このヒンジユニット１１との連結部２２ｃは、本体側肩部材８方向に折り曲げられて、炊飯器本体側肩部材８の段部８ｂ面上に臨まされている。
【００３３】
そして、これら下板２２後端側外周２２ａの各部２２ｂ，２２ｃ部分を取付ブラケットとして、上記蓋体２は、その後端側を、上記炊飯器本体１上部の開口縁部１ａを形成している肩部材８に対してヒンジユニット１１を介して回動自在に取付けられており、その開放端側（前端側）には、該蓋体２の所定位置に係合して該蓋体２の上下方向への開閉を行うロックおよびロック解除機構１２が設けられている。
【００３４】
また、上記蓋体２の略中央部には、おネバ成分を回収しながら蒸気のみを外部へ逃がすとともに炊飯工程に応じて内鍋３内の圧力を常圧、高圧の２段階に調節する調圧ユニット２８が設けられている。
【００３５】
この調圧ユニット２８は、内鍋３内から外部に向けて迂回する蒸気逃し通路３０と同蒸気逃し通路３０に設けた圧力調整機構よりなっている。そして、同圧力調整機構は、上記蒸気逃し通路３０の内カバー２４、放熱板２３の蒸気入口３０ａの下流側（上方部）に位置して、球体弁Ｂを設け、同球体弁Ｂによる蒸気逃し通路３０の開閉によって上記した２段階に調圧圧力を設定するようになっている。
【００３６】
一方、上記蓋体２の上板２１の前部（反ヒンジユニット側）中央には、当該電気炊飯器の操作部および表示部を構成する操作パネル１３が設けられている（図６参照）。該操作パネル１３は、そのパネル部裏側に所定の深さの基板および液晶パネル収納ボックスを備えてなり、上記圧力調整機構の制御手段としてのマイコンを備えた電気基板（マイコン基板）６Ｂおよび液晶パネルが上記上板２１の開口部に嵌合して収納されている。そして、その中央部には、液晶パネルの表示面に対応する透明窓を有するとともに、同透明窓の周囲には、タイマー炊飯用の炊飯予約スイッチＳＷ１、炊飯スイッチＳＷ２、保温スイッチＳＷ３、取消スイッチＳＷ４、炊飯メニュー(例えば、白米、早炊き、おこわ、おかゆ、玄米その他のコースメニュー）を指定するメニュー選択スイッチＳＷ５、時スイッチＳＷ６、分スイッチＳＷ７、おこげ選択スイッチＳＷ８、保温ＯＦＦ制御モード選択スイッチＳＷ９が設けられている。
【００３７】
また、上記操作パネル１３の中央部には、炊飯、保温の各メニュー、設定された保温温度、設定保温時間並びに現在時刻および炊飯完了までの残時間その他の必要事項を表示する液晶表示部１４が設けられている。
【００３８】
上記構成の圧力型の電気炊飯器の場合、圧力機構の配置や操作部（操作パネルや操作基板等）の配置によって、蓋体２の重量が通常の電気炊飯器に比して増大することとなる。
【００３９】
ところで、従来の電気炊飯器においては、炊飯器本体１におけるヒンジユニットの後方側あるいは近傍にコードリールを配置するための余計な凸部が形成されるようになっていた（図７を参照）。その結果、電気炊飯器の外観を損なってしまうとともに、製品梱包時に梱包寸法が大きくなってしまうという問題があった。
【００４０】
そこで、このような問題を解決するために、本実施の形態においては、例えば図１〜図５に示すように、上記炊飯器本体１の底部を構成する底ケース１０の内面側に、加熱手段を構成するワークコイルＣ１，Ｃ２およびヒータＨ１その他の部分への電源供給用のコードリール１５を水平に配置している。該コードリール１５は、その重心位置が上記底ケース１０において上記炊飯器本体１の重心位置よりも上記ヒンジユニット１１の反対側（即ち、前部側）に偏位して位置するように配置されている。
【００４１】
上記コードリール１５は、電源コード１６を巻き取る巻き取りバネを備えた金属製のリール部１５ａと、該リール部１５ａの開口面側を覆う合成樹脂製のカバー部１５ｂとによって構成されており、特に前記リール部１５ａを下側に向けて配置されている。
【００４２】
つまり、上記底ケース１０の内面における中心部近傍であって、ヒンジユニット１１側（即ち、炊飯器本体１の後方側）とヒンジユニット１１の反対側（即ち、炊飯器本体１の前方側）とを結ぶ方向（即ち、炊飯器本体１の前後方向）に対して上記底ケース１０の前後方向中間部よりも所定寸法前側で、かつ左右方向中間部よりも右側に寄った位置には、上記コードリール１５の外周部において所定寸法上方に立ち上げられた略環状の防水リブ１７が一体に形成されている。なお、該防水リブ１７には、コードリール１５に電源コード１６を引き出しあるいは引き込む際に邪魔にならないように、一部にはリブを形成しない部位が存在している。
【００４３】
そして、該防水リブ１７の一側（即ち、後方側）には、上記電源コード１６を上記コードリール１５内から電源コード１６を引き出しあるいは引き込むときの通路（開口）となるコード通路１８が炊飯器本体１の後方側に延びるように形成されている。
【００４４】
このように構成すると、従来の電気炊飯器におけるように、コードリールを炊飯器本体のヒンジユニット側で縦方向に配置することにより、コードリールからの電源コードの引き出し方向が、図７に実線で示すような方向に限定され、点線図示の方向への引き出しが不自由となるが、本実施の形態におけるように、コードリール１５が炊飯器本体１の底部に水平姿勢で配置され且つ電源コード１６が炊飯器本体１の後方側に向かって引き出されるように構成した場合には、例えば図６に示すように、コードリール１５からの電源コード１６の引き出し方向が、実線図示の方向にも点線図示の方向にも任意に可能となり、電源コード１６の引き出し方向の自由度が大きくなるという利点がある。
【００４５】
上記防水リブ１７の中央部には、上記コードリール１５におけるリール部１５ａの巻き取り軸および電源ターミナルを収納するための円形の凹溝部３２が形成されており、該凹溝部３２の底部の適所には、水抜き用の小さな切欠穴３２ａが形成されている。このようにすると、防水リブ１７内に万が一水が侵入したとしても、速やかに排出することができ、水が防水リブ１７内に溜まってしまうということがなくなり、安全な製品となる。
【００４６】
また、上記コードリール１５の上面側には、その上面を覆い且つ上記防水リブ１７の外側に被嵌される防水カバー１９が設けられており、該防水カバー１９の上面には、該防水カバー１９上に落下した水を上記防水リブ１７が形成されていない側に漏れ落ちないように導く誘導壁１９ａが一体に形成されている。
【００４７】
図３において、符号１８ａは上記コード通路１８の入口部分に形成された開口、１９ｂは上記防水カバー１９の一側に一体に突設されたカバー部であり、防水カバー１９取付時に上記コード通路１８の入口開口１８ａを閉塞することとなっている。符号２０は防水リブ１７の適所および上記カバー部１９ｂにそれぞれ設けられたネジ筒であり、該ネジ筒２０，２０には、コードリール１５の外周（カバー部１５ｂ）に設けられた取付用リブ１５ｂ１、上記防水カバー１９の外周に設けられた取付用リブ１９ｃおよび上記カバー部１９ｂに設けられた取付用リブ１９ｂ１がネジ３１，３１を用いて取り付けられることとなっている。
【００４８】
上記のように構成したことにより、従来のようにコードリールを炊飯器本体のヒンジユニット側で縦方向に配置すると、炊飯器本体におけるヒンジユニット側に余計な凸部が形成されて、炊飯器本体の外観が損なわれるが、本実施の形態におけるように、コードリール１５が炊飯器本体１の底部に水平姿勢で配置されると、外観が凹凸の少ないものとなり、デザイン性が向上するし、製品を梱包する際にも、梱包寸法を小さくすることができる。
【００４９】
しかも、コードリール１５の中心位置が、炊飯器本体１の中心位置よりもヒンジユニット１１の反対側に位置するように構成したことにより、製品全体の重心が反ヒンジユニット側となり、蓋体２を開蓋した際にも製品の重心位置がヒンジユニット１１側に偏ることがなくなって、蓋体２の開蓋時に製品が転倒することを防止することができる。また、上記コードリール１５を、電源コード１６を巻き取る金属製のリール部１５ａと、該リール部１５ａの一面を覆う合成樹脂製のカバー部１５ｂとによって構成し、かつ上記リール部１５ａを下側に向けて配置したことにより、コードリール１５におけるリール部１５ａと加熱源である加熱手段（ワークコイルＣ１，Ｃ２）との距離を大きくとることができることになり、リール部１５ａがワークコイルＣ１，Ｃ２の影響を受けることがなくなって、熱の影響を最小限に抑えることができる。
【００５０】
その結果、リール部１５ａに巻き取られた電源コード１６の温度上昇が抑えられ、安全な製品を提供することができる。さらに、上記コードリール１５の上面を覆い且つ上記防水リブ１７の外側に被嵌される防水カバー１９を設けたことにより、コードリール１５の外周部および上面が防水リブ１７および防水カバー１９で覆われることになり、コードリール１５への水の侵入を効果的に防止することができる。
【００５１】
その結果、電気炊飯器本体内部への水の侵入があった場合にも安全なものとなる。
【００５２】
さらにまた、上記防水カバー１９の上面に、該防水カバー１９上に落下した水を上記防水リブ１７が形成されていない側に漏れ落ちないように導く誘導壁１９ａを一体に形成したことにより、コードリール１５が配置されている部位（即ち、防止リブ１７内）への水の侵入をほぼ完全に防止できることになり、電気炊飯器内部への水の侵入があった場合にもより一層安全なものとなる。
【００５３】
＜変形例＞
なお、本願発明の電気炊飯器は、決して以上の実施の形態において説明した構成のものに限定されるものではなく、その発明の要旨を逸脱しない範囲において適宜設計変更可能なことは勿論である。
【００５４】
例えば、上述の説明および図面の表示では、内鍋３の例として、土鍋など非金属材料製のものを採用したが、これはステンレス、アルミ等金属製のものを採用しても良いことは言うまでもない。
【符号の説明】
【００５５】
１は炊飯器本体
２は蓋体
３は内鍋
１０は底ケース
１１はヒンジユニット
１５はコードリール
１５ａはリール部
１５ｂはカバー部
１６は電源コード
１７は防水リブ
１９は防水カバー
Ｃ１，Ｃ２は加熱手段（ワークコイル）
【図１】
2013233361.tif 000003
【図２】
2013233361.tif 000004
【図３】
2013233361.tif 000005
【図４】
2013233361.tif 000006
【図５】
2013233361.tif 000007
【図６】
2013233361.tif 000008
【図７】
2013233361.tif 000009